(57)【特許請求の範囲】
【請求項１】
衣類本体(1)の生地における着用者の脇の下に沿う部分の裏面に、汗取りパッド(2)が縫着された脇汗染み防止衣類において、
前記汗取りパッド(2)は、前側縁(2F)と後側縁(2R)に沿う部分でのみ前記衣類本体(1)の生地に縫着されて、着用者の脇の下に沿う部分から前側上方へ襟ぐり(31)を形成するように延びており、
前記汗取りパッド(2)と前記衣類本体(1)の生地との間にトンネル状の空隙部(35)が形成されていることを特徴とする脇汗染み防止衣類。
【請求項２】
前記汗取りパッド(2)は、前記衣類本体(1)の身頃(11)に縫着される脇パッド部(21)と、前記衣類本体(1)の袖(12)に縫着される袖パッド部(22)とを継ぎ合わせた形状とされ、
前記空隙部(35)が脇裾(34)から袖口(33)まで連通していることを特徴とする請求項１に記載の脇汗染み防止衣類。
【請求項３】
前記汗取りパッド(2)は、肌に触れる裏生地(2a)と、汗の水分の透過を防止する防水パッド(2b)と、前記衣類本体(1)の生地に重なる表生地(2c)とが積層された３層構造になっていることを特徴とする請求項１又は２に記載の脇汗染み防止衣類。
【発明の詳細な説明】
【技術分野】
【０００１】
この発明は、着用者の脇の下からの発汗による脇汗染みの発生を防止する機能を備えた衣類に関するものである。
【背景技術】
【０００２】
着用者の脇の下からの発汗により衣類に脇汗染みが生じると、外見上、周囲の者に不快感を与えることがあるほか、着用者も羞恥心を感じることがある。
【０００３】
このため、衣類の衣類本体の生地における着用者の脇の下に沿う部分の裏面に、汗取りパッドが縫着された脇汗染み防止衣類が種々提案されており、例えば、下記特許文献１には、図８に示すようなものが記載されている。
【０００４】
この衣類は、衣類本体５１が身頃５２と袖５３とから成るインナーのシャツであり、吸湿性を有する汗取りパッド５４は、身頃５２の裏面に当てられた脇パッド部５５と、袖５３の裏面に当てられた袖パッド部５６とから構成されている。
【０００５】
そして、汗取りパッド５４の脇パッド部５５及び袖パッド部５６は、それぞれ身頃５２と袖５３の接合部である袖付ライン５７に沿って衣類本体５１の生地に縫い合わされるとともに、身頃５２の前身頃と後身頃の縫製ライン及び袖５３の袖口の端縁において衣類本体５１の生地に縫い合わされている。
【先行技術文献】
【特許文献】
【０００６】
【特許文献１】特開２００９−１１４５８２号公報
【発明の概要】
【発明が解決しようとする課題】
【０００７】
しかしながら、上記のような脇汗染み防止衣類では、多くの汗を吸い取るために脇パッド部５５を大きくすると、腕の上げ下げ等の動きが妨げられ、いわゆる「ツッパリ感」のような違和感を感じることがある。
【０００８】
また、衣類本体５１の内側において、脇裾から袖口まで空気が通らず、却って汗の発散が阻害され、蒸れた状態となり、発汗量が増えることがある。
【０００９】
そこで、この発明は、着用しても動きやすく、外部への汗の発散が促進されて、脇汗染みの発生を効果的に防止できる衣類を提供しようとするものである。
【課題を解決するための手段】
【００１０】
上記課題を解決するため、この発明は、衣類本体の生地における着用者の脇の下に沿う部分の裏面に、汗取りパッドが縫着された脇汗染み防止衣類において、
前記汗取りパッドは、前側縁と後側縁に沿う部分でのみ前記衣類本体の生地に縫着されて、前記汗取りパッドと前記衣類本体の生地との間にトンネル状の空隙部が形成されるものとしたのである。
【００１１】
また、前記汗取りパッドは、前記衣類本体の身頃に縫着される脇パッド部と、前記衣類本体の袖に縫着される袖パッド部とを継ぎ合わせた形状とされ、
前記空隙部が脇裾から袖口まで連通しているものとしたのである。
【００１２】
さらに、前記汗取りパッドは、肌に触れる裏生地と、汗の水分の透過を防止する防水パッドと、前記衣類本体の生地に重なる表生地とが積層された３層構造になっているものとしたのである。
【発明の効果】
【００１３】
この発明に係る脇汗染み防止衣類では、汗取りパッドが前側縁と後側縁に沿う部分でのみ衣類本体の生地に縫着されているので、着用者の腕の上げ下げ等の動作を妨げにくく、着用時の違和感が解消される。
【００１４】
また、汗取りパッドと衣類本体の生地との間に形成されたトンネル状の空隙部を介して空気が通るので、外部への汗の発散が促進されて、涼しさを感じることができ、脇汗染みの発生防止効果が向上する。
【図面の簡単な説明】
【００１５】
【図１】この発明に係る脇汗染み防止衣類の実施形態の要部正面図
【図２】同上の裏返した正面側からの斜視図
【図３】同上の裏返した背面側からの斜視図
【図４】同上の着用状態における脇下部分の縦断正面図
【図５】同上の構成部材のパターン図
【図６】同上の汗取りパッドの積層構造を示す斜視図
【図７】同上の構成部材の配置イメージを示す斜視図
【図８】特許文献１に記載の脇汗染み防止衣類の正面図
【発明を実施するための形態】
【００１６】
以下、この発明の実施形態を添付図面に基づいて説明する。
【００１７】
図１乃至図４に示すように、この脇汗染み防止衣類は、インナーのシャツであり、衣類本体１の生地における着用者の脇の下に沿う部分の裏面に、汗取りパッド２が縫着されたものである。
【００１８】
衣類本体１は、身頃１１の両肩部に左右の袖１２を備えており、汗取りパッド２は、身頃１１の裏面に当てられた脇パッド部２１と、袖１２の裏面に当てられた袖パッド部２２とから構成されている。
【００１９】
図５のパターン図に示すように、衣類本体１の身頃１１は、前身頃１３と後身頃１４とから構成され、前身頃１３は、両側部が着用者の背側に少し回り込むように、後身頃１４よりも幅が広くなっている。
【００２０】
前身頃１３及び後身頃１４の周縁には、襟ぐり３１及び裾３２が形成され、両側にそれぞれ胴継縁１３ａ，１４ａ及び袖付縁１３ｂ，１４ｂが形成されている。
【００２１】
袖１２の周縁には、袖口３３及び襟ぐり３１が形成され、他の部分に筒継縁１２ａ，１２ｂ及び袖付縁１２ｃ，１２ｄが形成されている。
【００２２】
脇パッド部２１の周縁には、襟ぐり３１及び脇裾３４が形成され、他の部分の一側に前側縁２Ｆが、他側に後側縁２Ｒがそれぞれ形成されている。また、後側縁２Ｒと襟ぐり３１の間に継合縁２１ａが形成されている。
【００２３】
袖パッド部２２の周縁には、袖口３３及び襟ぐり３１が形成され、他の部分の一側に前側縁２Ｆが、他側に後側縁２Ｒがそれぞれ形成されている。また、後側縁２Ｒと襟ぐり３１の間に継合縁２２ａが形成されている。
【００２４】
袖１２と脇パッド部２１及び袖パッド部２２とは、左右対称形状とされ、脇パッド部２１及び袖パッド部２２の継合縁２１ａ，２２ａは、前身頃１３の袖付縁１３ｂ及び袖１２の袖付縁１２ｃに対応して、Ｕ字状とされている。
【００２５】
上記のような衣類本体１の各部材は、例えば、吸水性及び速乾性に優れた綿５５％、ポリエステル４５％の混紡のニットの生地から成り、この生地は、抗菌防臭作用を有するものとされている。
【００２６】
汗取りパッド２の脇パッド部２１及び袖パッド部２２は、図６に示すように、肌に触れる裏生地２ａと、中間に挟まれる防水パッド２ｂと、衣類本体１の生地に重なる表生地２ｃとが積層された３層構造になっている。
【００２７】
裏生地２ａ及び表生地２ｃは、衣類本体１と同じ生地から成り、防水パッド２ｂは、通気性を有するが汗の水分をほどんど透過させず、抗菌作用を有する生地から成るもの（例えば、小松マテーレ製：バイオガード（登録商標））とされている。
【００２８】
上記各部材からの衣類の縫製に際しては、図７に示す立体配置となるように、前身頃１３と後身頃１４の左右の胴継縁１３ａ，１４ａ同士が縫合されて身頃１１が形成され、袖１２が筒状に巻かれて筒継縁１２ａ，１２ｂが縫合される。
【００２９】
次に、図１乃至図３に示すように、前身頃１３の袖付縁１３ｂと袖１２の袖付縁１２ｃとが縫合され、後身頃１４の袖付縁１４ｂと袖１２の袖付縁１２ｄとが縫合されて、身頃１１に袖１２が取り付けられ、衣類本体１が形成される。
【００３０】
また、脇パッド部２１の継合縁２１ａと袖パッド部２２の継合縁２２ａとが縫合され、衣類本体１の裏面側で、脇パッド部２１が前身頃１３に重ねられ、袖パッド部２２が袖１２に重ねられる。
【００３１】
そして、継合縁２１ａ，２２ａが袖付縁１３ｂ，１２ｃに沿うとともに、脇パッド部２１の後側縁２Ｒが胴継縁１３ａ，１４ａに沿い、袖パッド部２２の後側縁２Ｒが筒継縁１２ａ，１２ｂに沿った状態で、脇パッド部２１の前側縁２Ｆ及び後側縁２Ｒが前身頃１３に縫着され、袖パッド部２２の前側縁２Ｆ及び後側縁２Ｒが袖１２に縫着される。
【００３２】
このとき、脇パッド部２１の継合縁２１ａ及び脇裾３４と、袖パッド部２２の継合縁２２ａ及び袖口３３は、衣類本体１に縫着されることはない。
【００３３】
これにより、図４に示すように、汗取りパッド２の脇パッド部２１及び袖パッド部２２と、衣類本体１の身頃１１及び袖１２の生地との間には、トンネル状の空隙部３５が形成され、空隙部３５が脇裾３４から袖口３３まで連通する。
【００３４】
上記のような脇汗染み防止衣類では、汗取りパッド２が前側縁２Ｆと後側縁２Ｒに沿う部分でのみ衣類本体１の生地に縫着されているので、着用者の腕の上げ下げ等の動作を妨げにくく、着用時の違和感が解消される。
【００３５】
また、汗取りパッド２と衣類本体１の生地との間に形成されたトンネル状の空隙部３５を介して空気が通るので、外部への汗の発散が促進されて、涼しさを感じることができ、脇汗染みの発生防止効果が向上する。
【００３６】
なお、上記実施形態では、衣類本体１として、袖１２を有するものを例示したが、キャミソールやタンクトップ等の袖１２がない衣類においても、汗取りパッド２が脇パッド部２１のみから成るものとして、同様の構成を採用することができる。
【００３７】
また、インナーのシャツについて例示したが、アウターのトップスとして着用するＴシャツ等の衣類にも同様の構成を採用することができる。
【００３８】
なお、上記実施形態では、身頃１１として、前身頃１３の幅が後身頃１４の幅よりも広く、前身頃１３の両側部が着用者の背側に少し回り込むものを例示したが、身頃１１は、前身頃１３の幅と後身頃１４の幅が同一で、胴継縁１３ａ，１４ａの縫合部が着用者の両脇の前後方向中央部に位置するものとしてもよい。また、前身頃１３と後身頃１４とを縫合して形成されるものではなく、一体として円筒状に編成されたものとしてもよい。
【００３９】
また、衣類本体１の生地として、綿とポリエステルの混紡のニット生地を例示したが、衣類本体１の生地は、特にこのようなものに限定されず、綿１００％のもの等、種々のものを適用できる。また、汗取りパッド２の生地についても、例示したもののほか、種々のものを適用できる。
【００４０】
そのほか、汗取りパッド２が３層構造のものを例示したが、汗取りパッド２は、生地の種類によっては、２層又は４層以上の積層構造としてもよく、その積層構造が特に限定されるものではない。
【符号の説明】
【００４１】
１  衣類本体
２  汗取りパッド
２ａ  裏生地
２ｂ  防水パッド
２ｃ  表生地
２Ｆ  前側縁
２Ｒ  後側縁
１１  身頃
１２  袖
１２ａ，１２ｂ  筒継縁
１２ｃ，１２ｄ  袖付縁
１３  前身頃
１３ａ  胴継縁
１３ｂ  袖付縁
１４  後身頃
１４ａ  胴継縁
１４ｂ  袖付縁
２１  脇パッド部
２１ａ  継合縁
２２  袖パッド部
２２ａ  継合縁
３１  襟ぐり
３２  裾
３３  袖口
３４  脇裾
３５  空隙部
【要約】
【課題】着用しても動きやすく、外部への汗の発散が促進されて、脇汗染みの発生を効果的に防止できる衣類を提供する。
【解決手段】衣類本体１の生地における着用者の脇の下に沿う部分の裏面に、汗取りパッド２が縫着された脇汗染み防止衣類において、汗取りパッド２は、前側縁と後側縁に沿う部分でのみ衣類本体１の生地に縫着されて、汗取りパッド２と衣類本体１の生地との間にトンネル状の空隙部３５が形成されるようにする。汗取りパッド２は、衣類本体１の身頃１１に縫着される脇パッド部２１と、衣類本体１の袖１２に縫着される袖パッド部２２とを継ぎ合わせた形状とし、空隙部３５が脇裾３４から袖口３３まで連通するものとする。
【選択図】図１【図１】
0006811493.tif 000002
【図２】
0006811493.tif 000003
【図３】
0006811493.tif 000004
【図４】
0006811493.tif 000005
【図５】
0006811493.tif 000006
【図６】
0006811493.tif 000007
【図７】
0006811493.tif 000008
【図８】
0006811493.tif 000009